(57)【要約】【課題】樹脂流路に設けられた閉鎖手段の磨耗状態を検知し、閉鎖手段に閉鎖異常があるか否かを判別することが可能なプリプラ式射出成形機を提供すること。【解決手段】可塑化用スクリュ６と射出プランジャ１と可塑化用スクリュ６が受ける回転力を検出する回転力検出手段と、可塑化用スクリュ６を備える可塑化部分からの樹脂流路４を閉鎖する逆流防止弁５とを備えるプリプラ式射出成形機１００において、射出プランジャ１を前進させる際に、回転力検出手段からの回転力に基づいて樹脂流路４の逆流防止弁の異常を判別する閉鎖異常判別手段を備えることを特徴とするプリプラ式射出成形機である。【選択図】図１
2009226683.tif 000002
【特許請求の範囲】
【請求項１】
スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、
前記プランジャを前進させる際に、前記回転力検出手段からの回転力に基づいて前記樹脂流路の閉鎖手段の異常を判別する閉鎖異常判別手段を備えることを特徴とするプリプラ式射出成形機。
【請求項２】
前記閉鎖異常判別手段は、前記回転力の最大値、前記回転力の時間積分値、前記回転力のプランジャ位置に関する積分値のうちの少なくとも一つの値を所定値と比較して閉鎖異常を判別することを特徴とする請求項１に記載のプリプラ式射出成形機。
【請求項３】
前記樹脂圧力を検出する樹脂圧力検出手段を有し、前記閉鎖異常判別手段は前記プランジャを前進させる際に前記樹脂圧力検出手段からの樹脂圧力と前記回転力との比率に基づいて前記樹脂流路の閉鎖手段の異常を判別することを特徴とする請求項１に記載のプリプラ式射出成形機。
【請求項４】
スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、
前記プランジャを前進させる際に、前記回転力検出手段からの回転力に基づいて成形品の良否を判定する良否判定手段を備えることを特徴とするプリプラ式射出成形機。
【請求項５】
前記良否判定手段は、前記回転力の最大値、前記回転力の時間積分値、前記回転力のプランジャ位置に関する積分値のうちの少なくとも一つの値を所定値と比較して成形品の良否判定することを特徴とする請求項４に記載のプリプラ式射出成形機。
【請求項６】
前記樹脂圧力を検出する樹脂圧力検出手段を有し、前記良否判定手段は前記プランジャを前進させる際に前記樹脂圧力検出手段からの樹脂圧力と前記回転力との比率に基づいて
成形品の良否判定することを特徴とする請求項４に記載のプリプラ式射出成形機。
【請求項７】
スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、
前記プランジャを前進させる際の前記回転力検出手段からの回転力をショットごとに記憶し、該記憶した回転力の推移に基づいて前記樹脂流路の閉鎖手段の交換時期を予測する交換時期予測手段を備えることを特徴とするプリプラ式射出成形機。
【請求項８】
前記交換時期予測手段は前記回転力の最大値、前記回転力の時間積分値、前記回転力のプランジャ位置に関する積分値のうちの少なくとも一つの値をショット毎に記憶し、該記憶した値の推移に基づいて前記閉鎖手段の交換時期を予測することを特徴とするプリプラ式射出成形機。
【請求項９】
樹脂圧力を検出する樹脂圧力検出手段を有し、前記交換予測手段は前記プランジャを前進させる際の前記樹脂圧力検出手段からの樹脂圧力と前記回転力との比率をショット毎に記憶し、該記憶した値の推移に基づいて前記閉鎖手段の交換時期を予測することを特徴とする請求項７に記載のプリプラ式射出成形機。
【請求項１０】
スクリュとプランジャと前記スクリュが受ける回転力を検出する回転力検出手段と、前記スクリュを備える可塑化部分からの樹脂流路を閉鎖する閉鎖手段と、表示手段と、を備えるプリプラ式射出成形機において、
前記回転力検出手段からの回転力を前記表示手段に表示し、該表示された回転力に基づいて前記樹脂流路の閉鎖手段の異常を判別する閉鎖異常判別手段における閉鎖異常判別方法。
【請求項１１】
前記表示装置に表示する回転力は、時間に対する回転力の波形またはプランジャ位置に対する回転力の波形であることを特徴とする請求項１０に記載のプリプラ式射出成形機における閉鎖異常判別方法。
【請求項１２】
前記表示装置に表示する回転力は、前記回転力の最大値、前記回転力の時間積分値、前記回転力のプランジャ位置に関する積分値のうちの少なくとも一つであることを特徴とする請求項１０に記載のプリプラ式射出成形機における閉鎖異常判別方法。
【発明の詳細な説明】
【技術分野】
【０００１】
本発明は異常検出装置を備えたプリプラ式射出成形機に関する。
【背景技術】
【０００２】
プリプラ式射出成形機は、可塑化用スクリュを有する可塑化部分と射出プランジャを有する射出部分を備えている。また、可塑化部分と射出部分とを連通する樹脂流路には逆流防止弁が設けられおり、樹脂流路の開放と閉鎖を制御できるようになっている。可塑化工程においては逆流防止弁を開放することで、可塑化部分で溶融した樹脂を射出部分へ送りこみ、射出・保圧工程においては逆流防止弁を閉鎖することで、溶融樹脂が可塑化部分へ逆流しないように制御している。
【０００３】
特許文献１には、可塑化部分である可塑化シリンダから射出部分である射出シリンダへ
の流路にシャッターバルブの弁体を上下にスライド移動させて樹脂流路を開閉するようにしたプリプラ式射出成形機の技術が開示されている。このシャッターバルブのスライド構造により、シャッターバルブが開放状態にある間は弁体の流路閉鎖部分が外部に露出する。射出成形機のオペレータは外部に露出した弁体を目視によりその磨耗状態を確認することができる。
【０００４】
特許文献２には、可塑化用スクリュを可塑化用シリンダの軸方向に進退させる駆動装置が設けられ、射出シリンダからの射出工程時に、可塑化用スクリュを可塑化シリンダ軸内でスクリュ前進させて、可塑化用スクリュの先端で樹脂流路を閉鎖するプリプラ式射出成形機の技術が開示されている。
【０００５】
特許文献３には、可塑化用シリンダから射出シリンダへの樹脂供給路に逆流防止弁を設け、射出工程時に射出シリンダから可塑化シリンダへの溶融樹脂が逆流しないようにする技術と、逆流防止弁に換えて可塑化用スクリュ内に流体圧の作用により突き出されるロッドを設け、ロッドを突き出すことにより樹脂供給路を閉鎖し、ロッドをスクリュ内に収納することにより、樹脂供給路を開放するようにした射出成形機の技術が開示されている。
【０００６】
特許文献４には、可塑化用スクリュの後退による閉弁を採用して樹脂流路を閉鎖する技術が開示されている。また、特許文献５には、可塑化用スクリュを回転することにより樹脂流路を閉鎖するスクリュプリプラ式射出成形機の技術が開示されている。
【０００７】
【特許文献１】特開平５−８４７９３号公報
【特許文献２】特開平３−９７５１８号公報
【特許文献３】実開平７−１１３２１号公報
【特許文献４】特開平８−１８３０７８号公報
【特許文献５】特開平１１−１６５３３３号公報
【発明の開示】
【発明が解決しようとする課題】
【０００８】
逆流防止弁の閉鎖と開放とを繰り返すと逆流防止弁が磨耗し、逆流防止弁による樹脂流路の閉鎖が正常に行われなくなることが知られている。逆流防止弁による樹脂流路の閉鎖が正常に行われなくなると、射出・保圧工程において可塑化部分に溶融樹脂が逆流し、成形不良や樹脂の滞留といった問題が生じるため好ましくない。そのため、逆流防止弁の磨耗の進行に応じて、逆流防止弁の交換を行う必要がある。
【０００９】
特許文献１に開示される技術では、シャッターバルブが連続成形中に開閉状態を繰り返すため、目視によるシャッターバルブの磨耗状態の認識が容易ではない。しかも、シャッターバルブ付近は高温となるため、作業者が連続成形中に目視でシャッターバルブを検査作業することは危険を伴う。そのため、シャッターバルブの目視検査は、連続成形を中止して行う必要がある。連続成形を中止することは作業効率の低下につながり、生産コストが上昇する。
【００１０】
特許文献２に開示される技術では、樹脂流路閉鎖時に樹脂流路に当接する可塑化用スクリュ先端の部材が磨耗するため、定期的に交換する必要がある。しかしながら、このスクリュ先端の部材の磨耗状態を外部から確認することができず、磨耗部位の点検作業が容易ではない。
【００１１】
また、特許文献３〜特許文献５に開示される逆流防止手段も、樹脂流路内に存在するため、前記特許文献１および特許文献２に対して指摘したように、逆流防止弁の磨耗の進行度合いを容易に確認することはできない。
【００１２】
そこで本発明は、樹脂流路に設けられた閉鎖手段の磨耗状態を検知し、閉鎖手段に閉鎖異常があるか否かを判別することが可能なプリプラ式射出成形機を提供すること、成形品の良否を判定することが可能なプリプラ式射出成形機を提供すること、閉鎖手段の交換時期を予測可能なプリプラ式射出成形機を提供すること、および、プリプラ式射出成形機における閉鎖手段の異常判別方法を提供すること、を目的とする。
【課題を解決するための手段】
【００１３】
本願の請求項１に係る発明は、スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、前記プランジャを前進させる際に、前記回転力検出手段からの回転力に基づいて前記樹脂流路の閉鎖手段の異常を判別する閉鎖異常判別手段を備えることを特徴とするプリプラ式射出成形機である。
【００１４】
請求項２に係る発明は、前記閉鎖異常判別手段は、前記回転力の最大値、前記回転力の時間積分値、前記回転力のプランジャ位置に関する積分値のうちの少なくとも一つの値を所定値と比較して閉鎖異常を判別することを特徴とする請求項１に記載のプリプラ式射出成形機である。
【００１５】
請求項３に係る発明は、前記樹脂圧力を検出する樹脂圧力検出手段を有し、前記閉鎖異常判別手段は前記プランジャを前進させる際に前記樹脂圧力検出手段からの樹脂圧力と前記回転力との比率に基づいて前記樹脂流路の閉鎖手段の異常を判別することを特徴とする請求項１に記載のプリプラ式射出成形機である。
【００１６】
請求項４に係る発明は、スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、前記プランジャを前進させる際に、前記回転力検出手段からの回転力に基づいて成形品の良否を判定する良否判定手段を備えることを特徴とするプリプラ式射出成形機である。
【００１７】
請求項５に係る発明は、前記良否判定手段は、前記回転力の最大値、前記回転力の時間積分値、前記回転力のプランジャ位置に関する積分値のうちの少なくとも一つの値を所定値と比較して成形品の良否判定することを特徴とする請求項４に記載のプリプラ式射出成形機。
【００１８】
請求項６に係る発明は、前記樹脂圧力を検出する樹脂圧力検出手段を有し、前記良否判定手段は前記プランジャを前進させる際に前記樹脂圧力検出手段からの樹脂圧力と前記回転力との比率に基づいて成形品の良否判定することを特徴とする請求項４に記載のプリプラ式射出成形機である。
【００１９】
請求項７に係る発明は、スクリュとプランジャと前記スクリュが受ける回転力を検出する回転力検出手段と、前記スクリュを備える可塑化部分からの樹脂流路を閉鎖する閉鎖手段と、を備えるプリプラ式射出成形機において、前記プランジャを前進させる際の前記回転力検出手段からの回転力をショットごとに記憶し、該記憶した回転力の推移に基づいて前記樹脂流路の閉鎖手段の交換時期を予測する交換時期予測手段を備えることを特徴とするプリプラ式射出成形機である。
【００２０】
請求項８に係る発明は、前記交換時期予測手段は前記回転力の最大値、前記回転力の時間積分値、前記回転力のプランジャ位置に関する積分値のうちの少なくとも一つの値をショット毎に記憶し、該記憶した値の推移に基づいて前記閉鎖手段の交換時期を予測することを特徴とするプリプラ式射出成形機である。
【００２１】
請求項９に係る発明は、樹脂圧力を検出する樹脂圧力検出手段を有し、前記交換予測手段は前記プランジャを前進させる際の前記樹脂圧力検出手段からの樹脂圧力と前記回転力との比率をショット毎に記憶し、該記憶した値の推移に基づいて前記閉鎖手段の交換時期を予測することを特徴とする請求項７に記載のプリプラ式射出成形機である。
【００２２】
請求項１０に係る発明は、スクリュとプランジャと前記スクリュが受ける回転力を検出する回転力検出手段と、前記スクリュを備える可塑化部分からの樹脂流路を閉鎖する閉鎖手段と、表示手段と、を備えるプリプラ式射出成形機において、前記回転力検出手段からの回転力を前記表示手段に表示し、該表示された回転力に基づいて前記樹脂流路の閉鎖手段の異常を判別する閉鎖異常判別手段における閉鎖異常判別方法である。
【００２３】
請求項１１に係る発明は、前記表示装置に表示する回転力は、時間に対する回転力の波形またはプランジャ位置に対する回転力の波形であることを特徴とする請求項１０に記載のプリプラ式射出成形機における閉鎖異常判別方法である。
【００２４】
請求項１２に係る発明は、前記表示装置に表示する回転力は、前記回転力の最大値、前記回転力の時間積分値、前記回転力のプランジャ位置に関する積分値のうちの少なくとも一つであることを特徴とする請求項１０に記載のプリプラ式射出成形機における閉鎖異常判別方法である。
【発明の効果】
【００２５】
本発明により、樹脂流路に設けられた閉鎖手段の磨耗状態を検知し、閉鎖手段に異常があるか否かを判別することが可能なプリプラ式射出成形機を提供することができ、また、プリプラ式射出成形機における閉鎖手段の異常判別方法を提供することができる。
【発明を実施するための最良の形態】
【００２６】
以下、本発明の実施形態について図面と共に説明する。  
図１は、本発明のプリプラ式射出成形機である一実施形態の要部ブロック図である。  
プリプラ式射出成形機１００は、射出部分と可塑化部分と、両方の部分を連通する樹脂流路を備えている。可塑化部分は成形材料である固体樹脂を可塑化する。可塑化された溶融樹脂は樹脂流路を経由して可塑化部分から射出部分に供給される。射出部分は溶融樹脂を図示しない金型のキャビティ内に射出する。
【００２７】
射出部分は、溶融樹脂を充填する射出シリンダ２と、射出シリンダ２内の溶融樹脂をノズル３から金型のキャビティ内に射出するための射出プランジャ１を有する。射出プランジャ１は射出シリンダ２内を摺動可能に支持されている。射出プランジャ１は射出用駆動装置１０の駆動により射出シリンダ２内を前進し、溶融樹脂をノズル３から金型のキャビティに射出させる。
【００２８】
可塑化部分は、可塑化用スクリュ６と、可塑化用シリンダ７と、成形材料である固形樹脂のペレットを投入する材料投入用ホッパ８を有し、材料投入用ホッパ８から投入された固形材料である成形材料は、可塑化用シリンダ７内で可塑化用スクリュ６の回転により生じる機械的エネルギーにより溶融状態の樹脂になる。可塑化用スクリュ６は可塑化用駆動装置９の駆動によって回転する。
【００２９】
溶融樹脂は可塑化用スクリュ６の回転により生じる搬送力により可塑化用シリンダ７内の前方に送られ、樹脂流路４を経由して射出シリンダ２内に送られる。溶融樹脂が可塑化シリンダ７から射出シリンダ２の方向に樹脂流路を流れる際には逆流防止弁５は溶融樹脂の流れを閉鎖することはない。
【００３０】
射出プランジャ１は、送り込まれた溶融樹脂の圧力により射出シリンダ２内を後退するので、射出プランジャ１の移動量を制御することにより溶融樹脂の計量を行う。その後、射出プランジャ１の後端に接続された射出用駆動装置１０の駆動力により射出プランジャ１を前進させてノズル３から金型内のキャビティ（図示省略）に溶融樹脂を充填する。この時、逆流防止弁５は、溶融樹脂が樹脂流路４を経由して射出シリンダ２内から可塑化用シリンダ７内に逆流するのを防止している。
【００３１】
サーボアンプ１１は可塑化用駆動装置９を駆動制御し、サーボアンプ１２は射出用駆動装置１０を駆動制御する。可塑化用駆動装置９としては、可塑化用スクリュ６を回転駆動するための手段であって、例えば、電動サーボモータ、電動モータ、または、油圧モータなどを用いることができる。制御装置１３はサーボアンプ１１，１２の駆動制御や、表示装置１４への表示制御などプリプラ式射出成形機１００全体の制御を行う。以上が従来公知のプリプラ式射出成形機１００の全体構成の概略である。
【００３２】
本発明は、逆流防止弁が磨耗して可塑化用スクリュ部に溶融樹脂が逆流すると、可塑化用スクリュに回転力が働くことに着目し、逆流防止弁の磨耗状態の検知機能をプリプラ式射出成形機において実現するものである。本発明では、１射出ショットでの射出・保圧中に可塑化用スクリュ６が受ける回転力を検出し、検出した回転力に基づいて逆流防止弁５の閉鎖が正常に行われたか否かの判断を行う。回転力が大きく、逆流防止弁５の閉鎖が正常ではないと判断された場合には逆流防止弁５が磨耗したと判断できる。回転力が小さく、逆流防止弁５の閉鎖が正常であると判定された場合には、逆流防止弁５が磨耗していないと判断できる。
【００３３】
射出・保圧中の可塑化用スクリュ６が受ける回転力を検出する際は、可塑化用スクリュ６の回転を阻止してもよいし、可塑化用スクリュ６を所定の回転速度で回転させてもよい。所定の回転速度で回転させる場合にはその回転方向は、正回転，逆回転のどちらの方向の回転を選択してもよい。
【００３４】
可塑化用スクリュ６の回転を阻止して回転力を検出する場合、例えば、可塑化用駆動装置９として電動サーボモータを例にとると、電動サーボモータを位置決め状態として回転位置を保持することができる。可塑化用駆動装置９として油圧モータを例にとると、油圧モータの油路を閉鎖して回転位置を保持することができる。また、可塑化用スクリュ６の回転を阻止するに、ブレーキや一方向クラッチを用いることができる。
【００３５】
本発明において可塑化用スクリュ６が逆流樹脂から受ける回転力は、可塑化用駆動装置９の駆動力（電動サーボモータの駆動電流やオブザーバで求めた負荷トルク、油圧モータの油圧などの物理量）から検出することができる。また、可塑化用スクリュ６に歪センサを取り付けて可塑化用スクリュ６に作用する回転力を検出することができる。可塑化用スクリュ６をブレーキ手段で阻止する場合には、可塑化用スクリュに取り付けた歪センサで検出することができる。樹脂圧力は、射出プランジャ１に設けたロードセル１５等の圧力検出器でもよいし、射出シリンダ２内に設けた樹脂圧力検出器であってもよい。
【００３６】
図１に示されるプリプラ式射出成形機１００において、逆流防止弁５が磨耗して樹脂流路４の閉鎖が完全になされないと、溶融樹脂が射出シリンダ２から樹脂流路４を経由して可塑化用シリンダ７内に逆流する。そうすると、逆流した溶融樹脂は、可塑化用スクリュ６に形成されたフライト（図示を省略）に可塑化用スクリュ６の軸回りの分力を与え、その結果可塑化用スクリュ６に回転力を発生させる。
【００３７】
よって、射出・保圧工程中に可塑化用スクリュ６が受ける回転力を検知し、検知した回転力に基づいて、逆流防止弁５が樹脂流路４を正常に閉鎖しているか否かを判定することができる。また、射出及び保圧工程中の前記回転力の最大値、前記回転力の時間積分値、前記回転力の射出プランジャ１の位置に関する積分値に基づいて、逆流防止弁５の磨耗度合いを判定するようにしてもよい。
【００３８】
図２は本発明における回転力による閉鎖不良判定を説明するグラフである。図１について述べたように、逆流防止弁５が磨耗して溶融樹脂が可塑化用シリンダ７内に逆流すると、可塑化用スクリュ６に回転力が発生し、射出開始からの時間に関する回転力は図に示されるように第１の基準値を超える。一方、逆流防止弁５に磨耗がなく樹脂流路４の閉鎖が正常になされると、溶融樹脂の逆流は発生せず可塑化用シリンダ７に逆流した溶融樹脂による回転力は発生しない。
【００３９】
図３に示されるように可塑化用スクリュの回転力の積分値（射出開始からの時間に関する積分（以下、「時間積分値」という）、または、射出開始からの射出プランジャの位置に関する積分（以下、「位置積分値」という））に基づいて、逆流防止弁の磨耗度合いを判定することができる。図２では射出及び保圧工程中の可塑化用シリンダ７に発生する回転力の時間に関する関係を表すグラフであるが、このグラフに示される回転力を時間に関して積分すると、図３に示される時間に関する積分値のグラフを求めることができる。なお、図３で時間積分値と位置積分値とで同じグラフ表示であることは、時間と位置とで横軸の縮尺を調整していることを意味する。逆流防止弁５による閉鎖が正常か不良かの判断基準を図３では第２の基準値としている。
【００４０】
図４は、本発明における（回転力／樹脂圧力）による閉鎖不良判定（閉鎖が正常な状態）を説明するグラフである。図５は本発明における（回転力／樹脂圧力）による閉鎖不良判定（閉鎖が不良な状態）を説明するグラフである。逆流防止弁５による閉鎖が正常か不良かの判断基準を図４及び図５では第３の基準値としている。図４及び図５に示されるように、可塑化用スクリュ６の回転力と溶融樹脂の樹脂圧力との比率（回転力／樹脂圧力）に基づいて、逆流防止弁５の磨耗度合いを判定することができる。  
可塑化用シリンダ７への溶融樹脂の逆流は、射出シリンダ２内の樹脂圧力が大きい場合にその圧力差によって生じる。したがって、逆流防止弁５が磨耗していても射出シリンダ２内の樹脂圧力が低い場合には逆流量は少なく、可塑化用スクリュ６に生じる回転力は小さい。これに対して、射出シリンダ２内の樹脂圧力が高い場合には逆流量が多いため、可塑化用スクリュ６に生じる回転力も大きくなる。換言すれば、逆流防止弁５の磨耗度合いは同じであっても、射出シリンダ２内の樹脂圧力によって可塑化用スクリュ６に係る回転力は変動してしまう。
【００４１】
そこで、可塑化用スクリュ６の回転力と樹脂圧力との比率（回転力／樹脂圧力）に基づいて逆流防止弁５の磨耗度合いを判定することで、樹脂圧力の大きさに左右されることなく、逆流防止弁５の磨耗度合いを正確に判定することが可能となる。例えば、（回転力／樹脂圧力）が基準値以上であれば逆流防止弁５が磨耗していると判定し、（回転力／樹脂圧力）が基準値より小さければ逆流防止弁５が磨耗していない判定することができる。
【００４２】
図６は、本発明における閉鎖不良になるまでのショット数の予測方法を説明する図である。プリプラ式射出成形機１００の樹脂成形作業でショット毎の回転力の最大値を記憶する。記憶したショット毎の回転力の最大値のデータを基に、１ショット当たりの回転力の最大値の増加量を求めることができる。そして、現在のショットの回転力の最大値と１ショット当たりの回転力の最大値の増加量とに基づき、所定ショット後の回転力の最大値を予測したり、所定の回転力の最大値に到達するまでのショット数を予測したりすることができる。  
所定ショット後の回転力の最大値は、（数１）式により予測することができる。  
【００４３】
【数１】
2009226683.tif 000003
【００４４】
よって、所定ショット後の回転力の最大値の予測値が基準値以上となった場合、逆流防止弁５の磨耗が進行したとしてオペレータに逆流防止弁の交換を促すメッセージを通知することができる。これにより、逆流防止弁が磨耗して不良品が発生する前に逆流防止弁を交換することが可能である。  
また、所定の回転力に達するまでのショット数の予測値は、（数２）式により予測できる。
【００４５】
【数２】
2009226683.tif 000004
【００４６】
よって、所定の回転力の最大値に対するまでのショット数の予測値が所定値以下となった場合、上記の場合と同様に、逆流防止弁が進行したとしてオペレータに逆流防止弁の交換を促すメッセージを通知することができる。
【００４７】
前記説明では、「回転力の最大値」を例として説明したが、回転力の積分値（時間積分値、または、位置積分値）を用いてもよい。この場合には、数式１や数式２の変数「Ｆｎ」は「今ショットの回転力の積分値」を表すことになる。また、「Ｆｎ＋ｋ」はｋショット後の回転力の積分値の予測値を表し、「Ｆｎ−１」は１ショット前の回転力の積分値を表す。同様に、「ｍ」は所定の回転力の積分値に達するまでのショット数の予測値を表し、「Ｆｌｉｍｔ」は所定の回転力の積分値を表すことになる。
【００４８】
あるいは、樹脂圧力と回転力との比率の最大値の増大率によってもよい。この場合には、数式１や数式２の変数「Ｆｎ」は「今ショットの（樹脂圧力と回転力との比率の最大値）」を表すことになる。また、「Ｆｎ＋ｋ」はｋショット後の（樹脂圧力と回転力との比率の最大値の予測値）を表し、「Ｆｎ−１」は１ショット前の（樹脂圧力と回転力との比率の最大値）を表す。同様に、「ｍ」は所定の（樹脂圧力と回転力との比率の最大値）に達するまでのショット数の予測値を表し、「Ｆｌｉｍｔ」は所定の（樹脂圧力と回転力との比率の最大値）を表すことになる。
各ショットで、例えば、回転力の最大値、回転力の積分値、回転力／樹脂圧力の最大値を少なくとも一つ選択してメモリに記憶させる。
【００４９】
図７は、本発明における回転力の最大値を表示装置に表示した場合の画面例である。回転力をプリプラ式射出成形機１００の表示装置１４の画面に表示することで、機械のオペレータは逆流防止弁５の異常判定を行うことができる。図７では、各ショットでの回転力の最大値を表示している。この画面表示では単位は省略している。
【００５０】
第１回のショットで回転力の最大値は５、第２回のショットでの回転力の最大値は５、第３回の回転力の最大値は６、第４回目のショットで回転力の最大値は５１、第５回目のショットで回転力の最大値は７２である。第１回目のショット〜第３回目のショットは第１の基準値を超えていないので（図２参照）、閉鎖が正常と判断する。第４回目と第５回目のショットでの回転力の最大値は閉鎖異常と判定する基準値を超えているので（図２参照）、第４回目と第５回目のショットは逆流防止弁５の閉鎖の不良と判断する。
【００５１】
逆流防止弁の磨耗を検知できるため、逆流防止弁の交換時期を適切に管理できる。  
作業者による目視確認を必要としないため、無人状態での監視が可能である。  
逆流防止弁が磨耗して不良品が発生する前に、逆流防止弁の磨耗を検知して逆流防止弁を交換できるため、成形不良の発生を未然に防止できる。  
連続成形しながら逆流防止弁の磨耗を検知できるため、逆流防止弁の磨耗検査のための生産停止をする必要がなく、生産効率が向上する。  
逆流防止弁の磨耗による樹脂の逆流だけでなく、逆流防止弁に異物を挟み込んだ場合の樹脂の逆流も検知できるため、異物の挟み込みによる成形不良を検知することができる。
【００５２】
本発明は、計量部分と射出部分の間の樹脂流路に閉鎖手段が設けられているプリプラ式射出成形機に適用でき、閉鎖手段は樹脂流路に逆流防止弁を設けたものであってもよいし、可塑化用スクリュの前進，後退，回転などの動作により樹脂流路を閉鎖するものにも適用することができる。
【図面の簡単な説明】
【００５３】
【図１】本発明であるプリプラ式射出成形機１００の一実施形態の要部ブロック図である。
【図２】本発明における回転力による閉鎖不良判定を説明するグラフである。
【図３】本発明における回転力の積分値（時間、位置）による閉鎖不良判定を説明するグラフである。
【図４】本発明における（回転力／樹脂圧力）による閉鎖不良判定（閉鎖が正常な状態）を説明するグラフである。
【図５】本発明における（回転力／樹脂圧力）による閉鎖不良判定（閉鎖が不良な状態）を説明するグラフである。
【図６】本発明における閉鎖不良になるまでのショット数の予測方法を説明する図である。
【図７】本発明における回転力の最大値を表示装置に表示した場合の画面例である。
【符号の説明】
【００５４】
１  射出プランジャ
２  射出シリンダ
３  ノズル
４  樹脂流路
５  逆流防止弁
６  可塑化用スクリュ
７  可塑化用シリンダ
８  材料投入用ホッパ
９  可塑化用駆動装置
１０  射出用駆動装置
１１  サーボアンプ
１２  サーボアンプ
１３  制御装置
１４  表示装置
１５  ロードセル
１００  プリプラ式射出成形機
【図１】
2009226683.tif 000005
【図２】
2009226683.tif 000006
【図３】
2009226683.tif 000007
【図４】
2009226683.tif 000008
【図５】
2009226683.tif 000009
【図６】
2009226683.tif 000010
【図７】
2009226683.tif 000011